(57)【特許請求の範囲】
【請求項１】
端末装置と、前記端末装置とネットワークを介して接続可能な公開用情報処理装置と、前記公開用情報処理装置とネットワークを介して接続可能な著作権管理用情報処理装置とを備える情報処理システムであって、
前記端末装置は、
ユーザによって入力された音声データを含むコンテンツを、前記公開用情報処理装置へ送信する送信手段を備え、
前記公開用情報処理装置は、
前記ネットワークを介して接続されている端末装置から、前記コンテンツを受信するコンテンツ受信手段と、
前記受信したコンテンツをネットワーク上に公開する公開手段と、
を備え、
前記著作権管理用情報処理装置は、
著作権を有する音声データを含むコンテンツを記憶する記憶手段と、
ユーザによってアップロードされた前記公開用情報処理装置により公開されているコンテンツから音声データを認識しテキストデータに変換し、前記テキストデータからキーワードを抽出しトピック化しトピック化情報を生成する第１トピック化手段と、
前記記憶手段によって記憶されたコンテンツから当該音声データを認識しテキストデータに変換し、前記テキストデータからキーワードを抽出しトピック化しトピック化情報を生成する第２トピック化手段と、
前記第１トピック化手段により生成されたトピック化情報と前記第２トピック化手段により生成されたトピック化情報を比較することによりコンテンツ相互間の相似性を判別する相似性判別手段と、
を備えることを特徴とする情報処理システム
【請求項２】
著作権を有する音声データを含むコンテンツを記憶する記憶手段と、
ユーザによってアップロードされた公開用情報処理装置により公開されているコンテンツから音声データを認識しテキストデータに変換し、前記テキストデータからキーワードを抽出しトピック化しトピック化情報を生成する第１トピック化手段と、
前記記憶手段によって記憶されたコンテンツから当該音声データを認識しテキストデータに変換し、前記テキストデータからキーワードを抽出しトピック化しトピック化情報を生成する第２トピック化手段と、
前記第１トピック化手段により生成されたトピック化情報と前記第２トピック化手段により生成されたトピック化情報とを比較することによりコンテンツ相互間の相似性を判別する相似性判別手段と、
を備えることを特徴とする著作権管理用情報処理装置。
【請求項３】
請求項２に記載の著作権管理用情報処理装置において、
前記相似性判別手段によりコンテンツ相互間が相似と判別された場合に、前記公開用情報処理装置によってネットワーク上に公開されたコンテンツを他のコンテンツと置き換える置換手段をさらに備えることを特徴とする情報処理装置。
【請求項４】
請求項３に記載の情報処理装置において、
暗号化したコンテンツを他のユーザからの入金に応じて前記他のユーザへ送信可能とする販売手段を更に備えることを特徴とする情報処理装置。
【請求項５】
請求項４に記載の情報処理装置において、
前記販売手段により他のユーザへ前記コンテンツが販売された場合に前記コンテンツの管理者へ入金処理を行う支払手段を更に設けることを特徴とする情報処理装置。
【請求項６】
著作権を有する音声データを含むコンテンツを記憶する記憶工程と、
ユーザによってアップロードされた公開用情報処理装置により公開されているコンテンツから音声データを認識しテキストデータに変換し、前記テキストデータからキーワードを抽出しトピック化しトピック化情報を生成する第１トピック化工程と、
前記記憶工程によって記憶されたコンテンツから当該音声データを認識しテキストデータに変換し、前記テキストデータからキーワードを抽出しトピック化しトピック化情報を生成する第２トピック化工程と、
前記第１トピック化工程により生成されたトピック化情報と前記第２トピック化工程により生成されたトピック化情報とを比較することによりコンテンツ相互間の相似性を判別する相似性判別工程と、
を備えることを特徴とする著作権管理用情報処理方法。
【請求項７】
著作権を有する音声データを含むコンテンツを記憶する記憶手段を備える著作権管理用情報処理装置に含まれるコンピュータを、
ユーザによってアップロードされた公開用情報処理装置により公開されているコンテンツから音声データを認識しテキストデータに変換し、前記テキストデータからキーワードを抽出しトピック化しトピック化情報を生成する第１トピック化手段、
前記記憶手段によって記憶されたコンテンツから当該音声データを認識しテキストデータに変換し、前記テキストデータからキーワードを抽出しトピック化しトピック化情報を生成する第２トピック化手段、
前記第１トピック化手段により生成されたトピック化情報と前記第２トピック化手段により生成されたトピック化情報とを比較することによりコンテンツ相互間の相似性を判別する相似性判別手段、
として機能させることを特徴とする情報処理プログラム。
【請求項８】
請求項７に記載の情報処理プログラムがコンピュータ読み取り可能に記録されていることを特徴とする記録媒体。
【発明の詳細な説明】
【技術分野】
【０００１】
本発明は、情報処理装置、情報処理方法、コンピュータプログラム及び記録媒体に関し、アップロードされたコンテンツの管理方法等に関する。
【背景技術】
【０００２】
従来のインターネット上のホームページ、ブログ又はコミュニティサービス等にある個人（ユーザ）によってアップロードされた大量の動画ファイル等のコンテンツにおける著作権管理方法は、これらのコンテンツを視認や視聴等の人為的な手段により確認し、著作権に抵触している個人に対して警告若しくは当該コンテンツの削除等を実施していた。
【０００３】
また、特許文献１では、データ交換システムにおいて、データ交換を希望するユーザが、これらのデータに著作権が発生しているか否かを、著作権者が登録した著作物リストを参照することにより調査し、著作権が発生している場合には、当該データへのアクセスを制限する発明が開示されている。
【特許文献１】特開２００２−３５８３７４
【発明の開示】
【発明が解決しようとする課題】
【０００４】
しかし、従来の著作権管理方法は、作業を人為的なものに限っていたため、莫大な時間や作業工数を要していた。また、その発見や摘発も確実ではなく、未だ多くの著作権に抵触したコンテンツが存在している。
【０００５】
また、従来の著作権管理方法である当該コンテンツの削除がなされると、一般公衆は、これらコンテンツに対して、アクセスすることができなくなる。従って、当該コンテンツを開示することによりその存在及び内容を一般公衆に知らしめること、すなわち、コンテンツの宣伝・広告効果の途を閉ざし、結果的にインターネット上での当該コンテンツの自由な流通に制限をかけ、当該コンテンツの著作権者やサービス提供者にとってはせっかくの販促や販売機会を消失するという問題があった。
【０００６】
また、特許文献１に開示された発明では、著作物リストにアクセスすることが前提となっているため、不作為にアップロードされたコンテンツの管理を行うことはできなかった。
【０００７】
そこで、本発明は、上記各問題点に鑑みて為されたもので、その目的の一例は、アップロードされたコンテンツが有する著作権をより効率よく管理することができる情報処理装置等を提供することである。
【課題を解決するための手段】
【０００８】
上記の課題を解決するために、請求項１に記載の発明は、端末装置と、前記端末装置とネットワークを介して接続可能な公開用情報処理装置と、前記公開用情報処理装置とネットワークを介して接続可能な著作権管理用情報処理装置とを備える情報処理システムであって、前記端末装置は、ユーザによって入力された音声データを含むコンテンツを、前記公開用情報処理装置へ送信する送信手段を備え、前記公開用情報処理装置は、前記ネットワークを介して接続されている端末装置から、前記コンテンツを受信するコンテンツ受信手段と、前記受信したコンテンツをネットワーク上に公開する公開手段と、を備え、前記著作権管理用情報処理装置は、著作権を有する音声データを含むコンテンツを記憶する記憶手段と、ユーザによってアップロードされた前記公開用情報処理装置により公開されているコンテンツから音声データを認識しテキストデータに変換し、前記テキストデータからキーワードを抽出しトピック化しトピック化情報を生成する第１トピック化手段と、前記記憶手段によって記憶されたコンテンツから当該音声データを認識しテキストデータに変換し、前記テキストデータからキーワードを抽出しトピック化しトピック化情報を生成する第２トピック化手段と、前記第１トピック化手段によりトピック化されたデータと前記第２トピック化手段によりトピック化されたデータを比較することによりコンテンツ相互間の相似性を判別する相似性判別手段と、を備える。
【０００９】
この発明によれば、公開用情報処理装置は、ネットワーク上に公開されたコンテンツから生成したトピック化情報と、著作権管理用情報処理装置に予め登録した著作権を有するコンテンツから生成したトピック化情報とを比較することにより、コンテンツ相互間の相似性を判別する。
【００１０】
従って、ネットワーク上に公開されたコンテンツが著作権を有するコンテンツであるか否かを視認や視聴等の人為的な手段によらず判別することができるため、これらコンテンツが著作権に抵触しているか否かを迅速かつ正確に発見することができる。
また、コンテンツ相互間の相似性を判別することができるため、複製権侵害のみならず、同一性保持権の侵害等、著作権の支分権の侵害についても迅速かつ正確に発見することができる。従って、著作権による多面的な保護を受けることが可能となる。
【００１１】
請求項２に記載の発明は、著作権を有する音声データを含むコンテンツを記憶する記憶手段と、ユーザによってアップロードされた公開用情報処理装置により公開されているコンテンツから音声データを認識しテキストデータに変換し、前記テキストデータからキーワードを抽出しトピック化しトピック化情報を生成する第１トピック化手段と、前記記憶手段によって記憶されたコンテンツから当該音声データを認識しテキストデータに変換し、前記テキストデータからキーワードを抽出しトピック化しトピック化情報を生成する第２トピック化手段と、前記第１トピック化手段により生成されたトピック化情報と前記第２トピック化手段により生成されたトピック化情報とを比較することによりコンテンツ相互間の相似性を判別する相似性判別手段と、を備える。
【００１２】
この発明によれば、公開用情報処理装置は、ネットワーク上に公開されたコンテンツから生成したトピック化情報と、著作権管理用情報処理装置に予め登録した著作権を有するコンテンツから生成したトピック化情報とを比較することにより、コンテンツ相互間の相似性を判別する。
【００１３】
従って、ネットワーク上に公開されたコンテンツが著作権を有するコンテンツであるか否かを視認や視聴等の人為的な手段によらず判別することができるため、これらコンテンツが著作権に抵触しているか否かを迅速かつ正確に発見することができる。
また、コンテンツ相互間の相似性を判別することができるため、複製権侵害のみならず、同一性保持権の侵害等、著作権の支分権の侵害についても迅速かつ正確に発見することができる。従って、著作権による多面的な保護を受けることが可能となる。
【００１４】
請求項３に記載の発明は、請求項２に記載の著作権管理用情報処理装置において、前記相似性判別手段によりコンテンツ相互間が相似と判別された場合に、前記公開用情報処理装置によってネットワーク上に公開されたコンテンツを他のコンテンツと置き換える置換手段をさらに備えることを特徴とする。
【００１５】
この発明によれば、公開用情報処理装置は、ネットワーク上に公開されたコンテンツが著作権を有するコンテンツであった場合に、当該コンテンツを他のコンテンツに置き換える。
【００１６】
従って、ネットワーク上に公開されたコンテンツが著作権を有するコンテンツであった場合に、不特定多数のユーザが無断で当該コンテンツを視聴等することを防止することができる。
【００１７】
請求項４に記載の発明は、請求項３に記載の情報処理装置において、暗号化したコンテンツを他のユーザからの入金に応じて前記他のユーザへ送信可能とする販売手段を更に備えることを特徴とする。
【００１８】
この発明によれば、ネットワーク上に公開されたコンテンツが著作権を有するコンテンツであった場合に、ユーザが当該コンテンツに対して入金処理を行えば、当該コンテンツを販売することができる。
【００１９】
従って、当該コンテンツについて超流通を可能とし、サービス提供者にとって販売促進の向上や販売拡大の機会を与えることができる。
【００２０】
請求項５に記載の発明は、請求項４に記載の情報処理装置において、前記販売手段により他のユーザへ前記コンテンツが販売された場合に前記コンテンツの管理者へ入金処理を行う支払手段を更に設けることを特徴とする。
【００２１】
この発明によれば、ネットワーク上に公開されたコンテンツが著作権を有するコンテンツであった場合に、ユーザが当該コンテンツに対して入金処理を行えば、当該コンテンツの著作権者に入金処理が行われる。
【００２２】
従って、当該コンテンツについて、ユーザが著作権者のコンテンツを使用する場合に著作者に対して入金処理が行われるため、当該コンテンツの超流通（デジタル化されたデータの利用に応じて課金するシステム）を可能とし、著作権者にとって販売促進の向上や販売拡大の機会を与えることができる。
【００２３】
請求項６に記載の発明は、著作権を有する音声データを含むコンテンツを記憶する記憶工程と、ユーザによってアップロードされた公開用情報処理装置により公開されているコンテンツから音声データを認識しテキストデータに変換し、前記テキストデータからキーワードを抽出しトピック化しトピック化情報を生成する第１トピック化工程と、前記記憶工程によって記憶されたコンテンツから当該音声データを認識しテキストデータに変換し、前記テキストデータからキーワードを抽出しトピック化しトピック化情報を生成する第２トピック化工程と、前記第１トピック化工程により生成されたトピック化情報と前記第２トピック化工程により生成されたトピック化情報とを比較することによりコンテンツ相互間の相似性を判別する相似性判別工程と、を備える。
【００２４】
請求項７に記載の発明は、著作権を有する音声データを含むコンテンツを記憶する記憶手段を備える著作権管理用情報処理装置に含まれるコンピュータを、ユーザによってアップロードされた公開用情報処理装置により公開されているコンテンツから音声データを認識しテキストデータに変換し、前記テキストデータからキーワードを抽出しトピック化しトピック化情報を生成する第１トピック化手段、前記記憶手段によって記憶されたコンテンツから当該音声データを認識しテキストデータに変換し、前記テキストデータからキーワードを抽出しトピック化しトピック化情報を生成する第２トピック化手段、前記第１トピック化手段により生成されたトピック化情報と前記第２トピック化手段により生成されたトピック化情報とを比較することによりコンテンツ相互間の相似性を判別する相似性判別手段、として機能させることを特徴とする。
【発明の効果】
【００２５】
以上のように、本発明によれば、ネットワーク上に公開されたコンテンツが著作権を有するコンテンツであるか否かを視認や視聴等の人為的な手段によらず判別することができるため、これらコンテンツが著作権に抵触しているか否かを迅速かつ正確に発見することができる。
【発明を実施するための最良の形態】
【００２６】
先ず、本実施形態に係る著作権管理システムＳの構成及び機能概要について、図１及び図２を用いて説明する。
【００２７】
図１は、本実施形態に係る著作権管理システムＳの概要構成の一例を示す図である。
【００２８】
図１に示すように、著作権管理システムＳは、ユーザ端末Ａ1、ユーザ端末Ｂ２、公開用情報処理装置の一例としての動画ストレージサーバ３、著作権管理用情報処理装置の一例としての著作権管理サーバ４、音声テキストサーバ５、テキストマイニングサーバ６、著作権チェックサーバ７、映像・映像音声サーバ８、動画置換サーバ９及び著作権者端末１０等とを含んで構成されている。
【００２９】
動画ストレージサーバ３、著作権管理サーバ４、ユーザ端末Ａ１、ユーザ端末Ｂ２及び著作権者端末１０とは、ネットワークＮＷを介して、例えば、通信プロトコルにＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等を用いて相互にデータの送受信が可能になっている。なお、ネットワークＮＷは、例えば、インターネット、専用通信回線（例えば、ＣＡＴＶ（Ｃｏｍｍｕｎｉｔｙ  Ａｎｔｅｎｎａ  Ｔｅｌｅｖｉｓｉｏｎ）回線）、移動体通信網（基地局等を含む）、及びゲートウェイ等により構築されている。  また、著作権管理サーバ４、音声テキストサーバ５、テキストマイニングサーバ６、著作権チェックサーバ７、映像・音声サーバ及び８動画置換サーバ９とは、例えば、ＬＡＮ（Ｌｏｃａｌ  Ａｒｅａ  Ｎｅｔｗｏｒｋ）を介して相互にデータの送受信が可能になっている。
【００３０】
ユーザ端末Ａ１、Ｂ２及び著作権者端末は、本願では端末装置として機能し、動画ストレージサーバ３へコンテンツをアップロードするために又は、動画ストレージサーバ３にアップロードされたコンテンツを閲覧、購入又はコンテンツの著作権者に入金等するために用いる端末装置であり、例えば、Ｗｅｂブラウザアプリケーションや電子メールアプリケーション等がインストールされたパーソナルコンピュータ、ＰＤＡ（Ｐｅｒｓｐｎａｌ  Ｄｉｇｉｔａｌ  Ａｓｓｉｓｔａｎｔ）、ＳＴＢ（Ｓｅｔ  Ｔｏｐ  Ｂｏｘ）、携帯電話機等を適用することができる。
【００３１】
動画ストレージサーバ３は、本実施形態において受信手段及び公開手段として機能し、受信手段の一例としては、ＦＴＰ（Ｆｉｌｅ  Ｔｒａｎｓｆｅｒ  Ｐｒｏｔｏｃｏｌ）等を使用してユーザ端末Ａ1等とコンテンツの送受信を行い、受信したファイルを動画ＤＢ（Ｄａｔａ  Ｂａｓｅ）３aへ記憶する。また、公開手段の一例としては、動画ＤＢ３aに登録されたコンテンツを、ユーザ端末Ｂ等の閲覧要求に応じて、ユーザ端末Ｂ等の図示しない表示部等に表示させる為に、例えば、ＨＴＭＬ等で記述されたスクリプト言語を、ＰＨＰ（Ｈｙｐｅｒｔｅｘｔ  Ｐｒｅｐｒｏｃｅｓｓｏｒ）が当該コンテンツの検索や表示画面を生成する等の処理を実行し、当該処理結果をＨＴＭＬデータとしてユーザ端末Ｂ等のＷｅｂブラウザに出力（ネットワークＮＷを介して送信）等することにより、コンテンツを提供するようになっているサーバコンピュータである。また、本実施形態における動画ストレージサーバ３は、ユーザが任意（不作為）に選択しアップロード可能であるものであってもよいし、特定のサーバに限定してもよい。
【００３２】
著作権管理サーバ４は、音声テキストサーバ５、テキストマイニングサーバ６、著作権チェックサーバ７、映像・音声サーバ８及び動画置換サーバ９を統括的に制御することにより、ネットワークＮＳを通じてユーザ端末Ａ等から動画ストレージサーバ３へアップロードされたコンテンツの著作権を管理するために設置されたサーバコンピュータである。
【００３３】
より具体的には、著作権管理サーバ４は著作権管理業者等の操作により、動画ＤＢ３aに登録されたコンテンツ及び、後述する映像ＤＢ８aに登録された著作権を有するコンテンツから夫々のコンテンツが有する音声データを抽出し、抽出した音声データをテキストデータに変換する。そして、前記コンテンツ及び前記著作権を有するコンテンツが含むテキストデータからキーワード（例えば、コンテンツが映画であった場合、出演者の名前等の単語）を夫々抽出し、トピック化（例えば、コンテンツの中に当該キーワードが出現する頻度順に抽出する等）し当該夫々のコンテンツのトピック化情報（例えば、前記トピック化により頻出する順にキーワードを抽出（キーワード順位の作成）する等）を生成する。そして、前記夫々のコンテンツのトピック化情報を比較することにより、コンテンツの相似性を判断し、動画ＤＢ３aに登録されたコンテンツが著作権を有するコンテンツであるか否かを判別するようになっている。
【００３４】
音声テキストサーバ５は、音声テキストＤＢ５ａを管理するサーバコンピュータであり、ＭｙＳＱＬ等のＲＤＢＭＳ（リレーショナルデータベース管理システム）等の適用によって実現されている。具体的には、音声テキストサーバ５は、著作権管理サーバ４や図示せぬサーバコンピュータ等からの要求に応じて、音声テキストＤＢ５ａへの著作権管理サーバ４によって変換された前記テキストデータの新規登録及び更新、音声テキストＤＢ５ａからの情報検索及び出力等の処理を行うようになっている。
【００３５】
テキストマイニングサーバ６は、トピックＤＢ６aを管理するサーバコンピュータであり、ＭｙＳＱＬ等のＲＤＢＭＳ等の適用によって実現されている。具体的には、テキストマイニングサーバ６は、著作権管理サーバ４や図示せぬサーバコンピュータ等からの要求に応じてトピックＤＢ６aへの著作権管理サーバ４によってトピック化されたトピック化情報の新規登録及び更新、トピックＤＢ６aからの情報検索及び出力等の処理を行うようになっている。
【００３６】
著作権チェックサーバ７は、比較ＤＢ７aを管理するサーバコンピュータであり、ＭｙＳＱＬ等のＲＤＢＭＳ等の適用によって実現されている。具体的には、著作権チェックサーバ７は、著作権管理サーバ４や図示せぬサーバコンピュータ等からの要求に応じて比較ＤＢ７aへ、著作権管理サーバ４によって判断された前記コンテンツの相似性についての判断結果の新規登録及び更新、比較ＤＢ７aからの情報検索及び出力等の処理を行うようになっている。
【００３７】
映像・映像音声サーバ８は、映像ＤＢ８aを管理するサーバコンピュータであり、ＭｙＳＱＬ等のＲＤＢＭＳ等の適用によって実現されている。また、映像・映像音声サーバ８は、本実施形態において記憶手段として機能し、著作権管理サーバ４や図示せぬサーバコンピュータ等からの要求に応じて映像ＤＢ８aへの著作権を有するコンテンツの新規登録及び更新、映像ＤＢ８aからの情報検索及び出力等の処理を行うようになっている。
【００３８】
ここで、著作権を有するコンテンツとは、例えば、当該コンテンツの著作者より、当該コンテンツに係る著作権の管理、例えば、著作権者に無断で当該コンテンツを使用（例えば、任意のサーバへアップロードする等）等する者に対する警告や使用等の中止の勧告を要求されたコンテンツをいう。従って、映像ＤＢ８aには、コンテンツに係るファイル、例えば、ＷＭＶ形式、ＭＰＥＧ（Moving Picture Experts Group）形式又はＤｉｖＸ（ＤｉｖＸ  Ｍｅｄｉａ  Ｆｏｒｍａｔ）形式等の映像ファイル等が登録されている。
【００３９】
動画置換サーバ９は、暗号化済動画ＤＢ９aを管理するサーバコンピュータであり、ＭｙＳＱＬ等のＲＤＢＭＳ等の適用によって実現されている。具体的には、動画置換サーバ９は、著作権管理サーバ４や図示せぬサーバコンピュータ等からの要求に応じて暗号化済動画ＤＢ９aへの著作権を有するコンテンツに対して暗号化されたファイルの新規登録及び更新、暗号化済動画ＤＢ９aからの情報検索及び出力等の処理を行うようになっている。なお、暗号化は、例えば、コンテンツにスクランブル処理を施して再生不可能にするＣＳＳ（Ｃｏｎｔｅｎｔ  Ｓｃｒａｍｂｌｅ  Ｓｙｓｔｅｍ）方式等により実現されるが、公知の手段であるため詳しい説明は省略する。また、これら暗号化には、コンテンツの閲覧及びダウンロードは可能であるが適切なライセンスが得られるまで当該ダウンロードしたコンテンツのファイルの実行を制限することが出来る、デジタル著作権管理テクノロジを用いた技術も含まれる。
【００４０】
次に、著作権管理サーバ４の構成及び機能について、図２を用いて説明する。
【００４１】
図２は、本実施形態に係る著作権管理サーバ４の概要構成の一例を示すブロック図である。
【００４２】
図２に示すように、著作権管理サーバ４は、操作部１１と、表示部１２（例えば、液晶ディスプレイ等）と、通信部１３と、ドライブ部１４と、記憶部１５と、入出力インターフェース部１６と、システム制御部２０と、を備えている。システム制御部２０と入出力インターフェース部１６とは、システムバス２１を介して接続されている。
【００４３】
操作部１１は、例えば、キーボード、マウス等であり、オペレータ等からの操作指示を受け付け、その指示内容を指示信号としてシステム制御部２０に出力する。表示部１２は、例えば、液晶ディスプレイ等であり、文字や画像等の情報を表示する。通信部１３は、ネットワークＮＷ等に接続して、データベースサーバ２、端末装置３等との通信状態を制御する。ドライブ部１４は、例えば、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等のディスクＤＫからデータ等を読み出す一方、当該ディスクＤＫに対してデータ等を登録する。また、記憶部１５は、例えば、ハードディスクドライブ等であり、各種プログラム及びデータ等を登録する。入出力インターフェース部１６は、操作部１１〜記憶部１５とシステム制御部２０との間のインターフェース処理を行う。システム制御部２０は、ＣＰＵ（Ｃｅｎｔｒａｌ  Ｐｒｏｃｅｓｓｉｎｇ  Ｕｎｉｔ）１７、ＲＯＭ（Ｒｅａｄ  Ｏｎｌｙ  Ｍｅｍｏｒｙ）１８、ＲＡＭ（Ｒａｎｄｏｍ  Ａｃｃｅｓｓ  Ｍｅｍｏｒｙ）１９等を備える。
【００４４】
記憶部１５には、所定のオペレーティングシステム等が記憶されている。なお、これらのプログラムは、例えば、他のサーバ装置等からネットワークＮＷを介して取得されるようにしても良いし、ＣＤ−ＲＯＭ等のディスクＤＫに登録されてドライブ部１４を介して読み込まれるようにしても良い。
【００４５】
システム制御部２０は、本実施形態において、本発明における第１トピック化手段、第２トピック化手段、相似性判別手段、置換手段、販売手段及び支払手段の一例を構成している。
【００４６】
そして、システム制御部２０は、ＣＰＵ１７が、ＲＯＭ１８や記憶部１５に記憶された各種プログラムを読み出し実行することにより著作権管理サーバ４の各部を制御するとともに、上述した各手段等として機能するようになっている。
【００４７】
この各手段等としての機能について説明する。
【００４８】
動画ストレージサーバ３は、ユーザの操作によってユーザ端末Ａ等を用いて、ネットワークＮＷを通じて送信（アップロード）されたコンテンツを受信すると、動画ＤＢ３aに登録する。そして、他のユーザの当該コンテンツの閲覧要求に応じて、当該他のユーザの端末装置、例えばユーザ端末Ｂ等のＷｅｂブラウザに当該コンテンツを出力し、コンテンツを提供する。第１トピック化手段としてのシステム制御部２０は、動画ＤＢ3aに登録されたコンテンツが有する音声データをテキストデータに変換し、キーワードを抽出し、当該キーワードからトピック化を行い、トピック化情報を生成する。これらトピック化情報の生成の一例として、テキストマイニング（Ｔｅｘｔ  Ｍｉｎｉｎｇ）処理がある。
【００４９】
テキストマイニング処理とは、定型化されていない文章の集合を自然言語解析の手法を使って単語やフレーズに分割し、それらの出現頻度や相関関係を分析して有用な情報を抽出する手法をいう。テキストマイニング処理では、情報を抽出し、分析（Ｍｉｎｉｎｇ）し、分析結果の抽出の順に処理を施す。本実施形態においては、情報の抽出として、コンテンツが有する音声データをテキストデータに変換し、前記テキストデータからキーワードを抽出する。分析として、前記キーワードからトピック化を行う。そして、分析結果の抽出として、前記トピック化により得られた情報を元にトピック化情報を生成する。そして、相似性判別手段としてのシステム制御部２０は、コンテンツ同士のトピック化情報を比較することにより、当該コンテンツ間の相似性すなわち、比較するコンテンツが相似であるか否かを判別する。
【００５０】
本実施形態における第１トピック化手段、第２トピック化手段及び相似性判別手段としてのシステム制御部２０の動作について、図３〜図４を用いて説明する。
【００５１】
図３は、第１トピック化手段（第２トピック化手段）の一例としてのテキストマイニング処理を示すフローチャートである。
【００５２】
図３において、システム制御部２０は、前記情報の抽出として、動画ＤＢ３aに登録されたコンテンツから音声データを抽出し、テキストデータに変換する（ステップＳ１）。前記音声データの抽出方法は、公知の技術であるため詳しい説明は省略する。
【００５３】
次に、前記分析として、抽出したテキストデータからキーワードを抽出する（ステップＳ２）。上記キーワードの抽出は、例えば隠れマルコフモデル（Ｈｉｄｄｅｎ  Ｍａｒｋｏｖ  Ｍｏｄｅｌ）による音声認識技術により実現されるが、公知の手段であるため詳しい説明は省略する。上記キーワードの例としては、テキストマイニング処理の処理対象であるコンテンツが例えば映画であった場合には、映画の中での登場人物の会話に含まれるキーワード（登場人物の名前、出身地、行動等に関する単語）がある。そして、上記キーワードが抽出される。
【００５４】
そして、上記キーワードからトピック化を行い、トピック化情報を生成する（ステップＳ３）。トピック化とは、当該コンテンツをいわば特徴づけて、他のコンテンツと判別可能（相似性を判断）とするための判断材料の抽出を目的として行われる。
【００５５】
トピック化の一例として、例えば、前記キーワードがコンテンツに出現する回数（個数）をカウントすることにより、出現頻度を数値化する。そして、出現頻度のヒストグラムイメージ（柱図表）を作成する。図４（Ａ）及び（Ｂ）は、コンテンツにおけるキーワードの出現頻度のヒストグラムイメージを示したグラフである。
【００５６】
図４（Ａ）は、コンテンツＡにおけるキーワードの出現頻度のヒストグラムイメージを示したグラフである。グラフの縦軸３１はコンテンツＡの中にキーワードが出現する回数を、横軸３２はコンテンツ中に含まれるキーワードの種類を示している。また、図中の棒グラフは、キーワードの出現頻度のヒストグラムイメージを示している。コンテンツＡで認識されるキーワードと頻度の関係は、キーワードとして「太郎３３」が２０回認識され、同様に「花子３４」が１５回認識され、以下、「Ａ教会３４」、「Ｂ公園３６」、「Ｃ駅３７」、「花束３８」及び「夢３９」と、それぞれキーワードと頻度の関係が抽出されたことを示している。以上のようにトピック化を行うことによりコンテンツを特徴付ける。
【００５７】
そして、システム制御部２０は、テキストマイニングサーバ６を制御し、トピック化した結果をトピック化情報として、トピックＤＢ６aへ保存する。
【００５８】
第２トピック化手段としてのシステム制御部２０も、上記と同様の手段により、映像ＤＢ８aに登録されたコンテンツに対して、コンテンツが有する音声データをテキストデータに変換し、キーワードを抽出し、当該キーワードからトピック化を行い、映像ＤＢ８aに登録された著作権を有するコンテンツについてのトピック化情報を生成する。
【００５９】
なお、上記トピック化情報の生成は、上述した方法に限定されるものではなく、例えば、キーワード間の関連性を分析等してもよい。そして、システム制御部は上記トピック化情報を、トピックＤＢ６ａに保存する。
【００６０】
次に、相似性判別手段としてのシステム制御部２０は、トピックＤＢ６ａに保存した上記トピック化情報に基いて、コンテンツ同士の相似性を判別するようになっている。
【００６１】
具体的に、図４（Ａ）及び（Ｂ）を用いて説明する。
【００６２】
上述したとおり、図４（Ａ）及び（Ｂ）は、コンテンツにおけるキーワードの出現頻度のヒストグラムイメージ、すなわち、コンテンツＡ及びＢについてのトピック化情報を示している。
【００６３】
コンテンツＡ及びＢは映画のデータであり、コンテンツＢはコンテンツＡに比べてデータ容量が小さい、すなわち収録されている映画の時間が短いものである。このコンテンツＡ及びＢの相似性の判別は以下のように行われる。
【００６４】
図４（Ｂ）に示すように、コンテンツＢで認識されるキーワードと頻度の関係は、キーワードとして「太郎３３」が約１２回認識され、同様に「花子３４」が約９回認識され、以下、「Ｄレストラン４０」、「Ｂ公園３６」、「幸せ４１」、「花束３８」及び「夢３９」の順番にそれぞれキーワードと頻度の関係が抽出されたことを示している。図４（Ａ）の上記ヒストグラムと比較すると、抽出されるキーワードとして、コンテンツＡでは「Ａ教会３４」及び「Ｃ駅３７」が抽出されているのに対し、コンテンツＢでは「Ｄレストラン４０」及び「幸せ４１」が抽出されている点で異なっている。しかしその他のキーワードは共通しており、また、コンテンツに出現する回数の大小関係（出現頻度）も同じである。
【００６５】
つまり、コンテンツＡ及びＢの双方において、「太郎３３」、「花子３４」、「Ｂ公園３６」、「花束３８」及び「夢３９」の頻度で、共通するキーワードが抽出されていることを示している。ここで、コンテンツＡとＢでは、上記共通するキーワードが抽出される回数は、コンテンツＡよりもコンテンツＢの方が少なくなっている。これは、コンテンツＢの方が収録時間が短いため、認識される頻度も少なくなっており、これは、コンテンツＢは、コンテンツＡのある一場面を収録したファイルであることを示している。従って、相似性の判別においては、上記キーワードの抽出される回数は異なるが、コンテンツ同士で共通するキーワードが抽出される大小関係（同様の頻度でキーワードが抽出される）が類似するため、コンテンツＢは、コンテンツＡの一部分が収録されたファイルであると判断され、その結果、コンテンツＡとコンテンツＢは相似（似ている、若しくは同一）のファイルであることを示している。
【００６６】
以上のように、コンテンツ相互間の相似性の判別は、コンテンツ相互のトピック化情報を比較することにより行われるが、これに限定されるものではなく、上述したように、キーワード間の関連性の分析によって行われてもよい。
【００６７】
次に、図５を用いて、本実施形態における著作権管理システムの処理の概要を説明する。
【００６８】
図５は、本実施形態における著作権管理システムの処理の概要を示すシーケンス図である。
【００６９】
コンテンツについて著作権を有する著作権者は、著作権を管理する者、例えば著作権管理業者等に、当該コンテンツに係る著作権の管理を依頼する。
【００７０】
著作権者から依頼を受けると、著作権管理業者等は、著作権管理サーバ４等を用いて著作権の管理を行う。具体的には、システム制御部２０の統括的な制御により、当該著作権者のコンテンツを映像ＤＢ８aへ登録する（ステップＳ１１）。なお、当該コンテンツの登録は、著作権管理業者等の操作に限られず、著作権者自らが登録するようにしてもよい。
【００７１】
そして、システム制御部２０は、当該コンテンツを暗号化し、暗号化済動画ＤＢ９ａへ登録するために、動画置換サーバ９へ、当該コンテンツを送信する（ステップＳ１２）。そして、動画置換サーバ９は、システム制御部２０の指令の元、当該コンテンツを暗号化し、暗号化済動画ＤＢ９ａへ登録する（ステップＳ１３）。
【００７２】
ステップＳ１２及びステップＳ１３の処理と並行して、システム制御部２０は、当該コンテンツから上述したトピック化情報を抽出するために、映像・音声サーバ８に対して、当該コンテンツの音声データの送信を要求する（ステップＳ１４）。そして、当該音声データを受信すると（ステップＳ１５）、上述した第１トピック化手段として（図３参照）、当該音声データをテキストデータに変換し（ステップＳ１６）、前記テキストデータからキーワードを抽出する（ステップＳ１７）。そして、前記キーワードからトピック化を行い、前記トピック化により得られた情報を元にトピック化情報を生成する（ステップＳ１８）。そして、前記トピック化情報を、トピックＤＢ６aへ登録する。
【００７３】
著作権者のコンテンツは、上述する手段により逐次登録される。上述したように、著作権管理業者等は、前記登録された著作権者のコンテンツについてのトピック化情報を元に、ネットワーク上に不作為にアップロードされたコンテンツが、前記登録された著作権者のコンテンツと相似であるか否かを判断する。そして、相似であった場合には、著作権に違反してアップロードされた蓋然性が極めて高いことが予想されるため、警告等の措置を施す。具体的な手段として以下に示す。
【００７４】
ユーザは、他のユーザへコンテンツの公開を目的として、ユーザ端末Ａ1によりコンテンツを、動画ストレージサーバ３へ送信（アップロード）する（ステップＳ１９）。それを受けて、動画ストレージサーバ３は、当該コンテンツを公衆に向けて公開する（ステップＳ２０）。このような、ユーザからのアップロードは、通常、時間を問わず、また、場所を特定せずに行われる。
【００７５】
システム制御部２０は、著作権に違法して公開されているコンテンツを調査するため、動画ストレージサーバ３にアップロードされたコンテンツから、上述したトピック化情報を抽出するために、コンテンツの音声ファイルを抽出する（ステップＳ２１）。そして、上述した第２トピック化手段として（図３参照）、当該音声データをテキストデータに変換し（ステップＳ２２）、前記テキストデータからキーワードを抽出する（ステップＳ２３）。そして、前記キーワードからトピック化を行い、前記トピック化により得られた情報を元にトピック化情報を生成する（ステップＳ２４）。そして、前記トピック化情報を、トピックＤＢ６aへ登録する。
【００７６】
システム制御部２０は、トピックＤＢ６ａに保存した上記コンテンツのトピック化情報に基いて、コンテンツ同士の相似性を判別する（図４参照）（ステップＳ２５）。
【００７７】
上記コンテンツが相似でないと判断された場合には（ステップＳ２５：相似でない）、処理を終了する。
【００７８】
一方、上記コンテンツが相似と判別された場合には（ステップＳ２５：相似）、動画ストレージサーバ３にアップロードされたコンテンツは、著作権者により管理を依頼されたコンテンツと相似である。従って、管理手段の一例として、動画ストレージサーバ３によって公開されたコンテンツを公衆が閲覧できないように、暗号化済動画ＤＢ９aに登録された暗号化された著作権を有するコンテンツに置換（ユーザが動画ストレージサーバ３に送信したコンテンツを暗号化された前記コンテンツと置き換える）するように勧告をする（ステップＳ２６）。ユーザが前記置き換えを了承すると（ステップＳ２７）、置換手段としてのシステム制御部２０は、動画置換サーバ９へ、前記コンテンツを他のコンテンツに置き換える旨の指示（置換の指示）をする（ステップＳ２８）。前記指示に応じて、動画置換サーバ９は、動画ストレージサーバ３へ、他のコンテンツの一例として、前記暗号化されたコンテンツを送信し（ステップＳ２９）、動画ストレージサーバ３は、ユーザが動画ストレージサーバ３に送信したコンテンツを暗号化された前記コンテンツと置き換える（ステップＳ３０）。他のコンテンツは、暗号化したコンテンツに限られず、例えば、著作権を有するコンテンツの一部（再生時間を制限したもの）等であってもよい。
【００７９】
他のユーザ（例えば、動画ストレージサーバ３により公開されたコンテンツを閲覧した不作為の第三者）が、前記コンテンツの購入を希望する場合には、他のユーザの利用に供する端末装置、例えばユーザ端末Ｂ２を操作することにより、著作権管理サーバ４へ入金処理を行う（ステップＳ３１）。販売手段としてのシステム制御部２０は、前記入金処理に応じて、前記他のユーザへ前記コンテンツを送信する。なお、前記入金処理は、システム制御部２０が、ＣＰＵ１７が、ＲＯＭ１８や記憶部１５に記憶された入金処理プログラムを読み出し実行することにより実現される。
【００８０】
そして、上記コンテンツの購入が行われると、支払手段としてのシステム制御部２０は、前記コンテンツの著作権者に前記入金処理によって入金された対価（著作権料）の支払いを行う（ステップＳ３３）。
【００８１】
以上説明したように、本実施形態によれば、システム制御部２０は、動画ＤＢ３aに登録されたコンテンツ及び、映像ＤＢ８aに登録された著作権を有するコンテンツから夫々のコンテンツが有する音声データを抽出し、抽出した音声データをテキストデータに変換する。そして、前記テキストデータからキーワードを夫々抽出し、トピック化し当該夫々のコンテンツのトピック化情報を生成する。そして、前記トピック化情報を比較することによりコンテンツ相互間の相似性の判別を行うことができる。
【００８２】
従って、ネットワーク上に公開されたコンテンツが著作権を有するコンテンツであるか否かを視認や視聴等の人為的な作業によらず判別することができるため、これらコンテンツが著作権に抵触しているか否かを迅速かつ正確に発見することができる。
また、コンテンツ相互間の相似性を判別することができるため、複製権侵害のみならず、同一性保持権の侵害等、著作権の支分権の侵害についても迅速かつ正確に発見することができる。従って、著作権による多面的な保護を受けることが可能となる。
【００８３】
また、システム制御部２０は、ネットワーク上に公開されたコンテンツが著作権を有するコンテンツであった場合に、当該コンテンツに対して暗号化を行うことが出来るため、ネットワーク上に公開されたコンテンツが著作権を有するコンテンツであった場合に、不特定多数のユーザが無断で当該コンテンツを視聴等することを防止することができる。
【００８４】
また、システム制御部２０は、前記暗号化したコンテンツを他のユーザからの入金に応じて前記他のユーザへ送信可能とすることができるため、当該コンテンツについて超流通を可能とし、サービス提供者にとって販売促進の向上や販売拡大の機会を与えることができる。
【００８５】
また、システム制御部２０は、前記販売手段により他のユーザへ前記コンテンツが販売された場合に前記コンテンツの管理者へ入金処理を行うことができるため、当該コンテンツについて、ユーザが著作権者のコンテンツを使用する場合に著作者に対して入金処理が行われるため、当該コンテンツの超流通（デジタル化されたデータの利用に応じて課金するシステム）を可能とし、著作権者にとって販売促進の向上や販売拡大の機会を与えることができる。
【図面の簡単な説明】
【００８６】
【図１】第１実施形態の概要構成の一例を示す図である。
【図２】本実施形態に係る著作権管理サーバ４の概要構成の一例を示すブロック図である。
【図３】第１トピック化手段の一例としてのテキストマイニング処理を示すフローチャートである。
【図４】コンテンツにおけるキーワードの出現頻度のヒストグラムイメージ、すなわち、コンテンツＡ及びＢについてのトピック化情報を示す図である。
【図５】本実施形態における著作権管理システムの処理の概要を示すシーケンス図である。
【符号の説明】
【００８７】
１  ユーザ端末Ａ
２  ユーザ端末Ｂ
３  動画ストレージサーバ
3a  動画ストレージサーバ
４  著作権管理サーバ
５  音声テキストサーバ
5a  音声テキストＤＢ
６  テキストマイニングサーバ
6a  トピックＤＢ
７  著作権チェックサーバ
7a  比較ＤＢ
８  映像・映像音声サーバ
8a  映像ＤＢ
９  動画置換サーバ
9a  暗号化済動画ＤＢ
１０  著作権者端末
１１  操作部
１２  表示部
１３  通信部
１４  ドライブ部
１５  記憶部
１６  入出力インターフェース
１７  ＣＰＵ
１８  ＲＯＭ
１９  ＲＡＭ
２０  システム制御部
ＮＷ  ネットワーク
Ｓ  著作権管理システム
【図２】
0005181691.tif 000002
【図３】
0005181691.tif 000003
【図４】
0005181691.tif 000004
【図５】
0005181691.tif 000005
【図１】
0005181691.tif 000006